(57)【要約】【課題】本発明は、広色域成分の有無やその割合を視覚的かつ解り易い状態でユーザに認識させるようにする。【解決手段】本発明は、映像信号が持つ色成分をヒストグラム処理し、そのヒストグラム処理結果から所定規格の信号よりも広い広色域成分量ＷＣを算出し、映像信号に対する広色域成分の有無、又は映像信号に対する広色域成分量ＷＣの割合を示すグラフィック処理画像Ｇ１Ａ、Ｇ２Ａ又はＧ３Ａを生成し出力することにより、所定規格の信号よりも広い広色域成分量ＷＣの有無、又はその割合をユーザに対して視覚的かつ直感的に認識させることができる。【選択図】図３
2008301415.tif 000002
【特許請求の範囲】
【請求項１】
映像信号が持つ色成分をヒストグラム処理するヒストグラム処理手段と、
上記ヒストグラム処理手段によるヒストグラム処理結果から所定規格の信号よりも広い広色域成分を算出する色域成分算出手段と、
上記映像信号に対する上記広色域成分の有無、又は上記映像信号に対する上記広色域成分の割合を示すユーザインタフェース画像を生成し出力するグラフィック処理手段と
を具えることを特徴とする色域成分解析装置。
【請求項２】
上記グラフィック処理手段は、上記映像信号に対する上記広色域成分の割合を円グラフによって示す上記ユーザインタフェース画像を生成し出力する
ことを特徴とする請求項１に記載の色域成分解析装置。
【請求項３】
上記グラフィック処理手段は、上記映像信号に対する上記広色域成分の割合を数値として示す上記ユーザインタフェース画像を生成し出力する
ことを特徴とする請求項１に記載の色域成分解析装置。
【請求項４】
上記グラフィック処理手段は、上記ユーザインタフェース画像を出力映像に重畳した状態で表示する
ことを特徴とする請求項１に記載の色域成分解析装置。
【請求項５】
映像信号が持つ色空間を所定のヒストグラム処理手段によってヒストグラム処理するヒストグラム処理ステップと、
上記ヒストグラム処理ステップにおけるヒストグラム処理結果から、所定の色域成分算出手段によって所定規格の信号よりも広い広色域成分を算出する色域成分算出ステップと、
所定のグラフィック処理手段によって、上記映像信号に対する上記広色域成分の有無、又は上記映像信号に対する上記広色域成分の割合を示すユーザインタフェース画像を生成し出力するグラフィック処理ステップと
を具えることを特徴とする色域成分解析方法。
【請求項６】
情報処理装置に対して、
映像信号が持つ色成分を所定のヒストグラム処理手段によってヒストグラム処理するヒストグラム処理ステップと、
上記ヒストグラム処理ステップにおけるヒストグラム処理結果から、所定の色域成分算出手段によって所定規格の信号よりも広い広色域成分を算出する色域成分算出ステップと、
所定のグラフィック処理手段によって、上記映像信号に対する上記広色域成分の有無、又は上記映像信号に対する上記広色域成分の割合を示すユーザインタフェース画像を生成し出力するグラフィック処理ステップと
を実行させることを特徴とする色域成分解析プログラム。
【発明の詳細な説明】
【技術分野】
【０００１】
本発明は、色域成分解析装置、色域成分解析方法及び色域成分解析プログラムに関し、例えばハンディタイプのビデオカメラや液晶テレビ等の表示デバイスに適用して好適なものである。
【背景技術】
【０００２】
近年、表示デバイスは、表示可能色域が広がり、ＩＥＣ(International Electro technical Commission)にてｓＲＧＢ(standard RGB)規格で規定される色空間や、ＮＴＳＣ(National Television System Committee)規格で規定される色空間よりも広い領域色を再現可能なxvYCCと呼ばれる動画色空間規格に対応したものが開発されており、従来では表現し切れなかった色についても表示できるようになっている。
【０００３】
また、所定の規格よりも広色域の色を表現でき、かつ所定の規格に準拠した装置で扱うことが可能な信号を提供することができるビデオカメラがある（例えば、特許文献１参照）。
【特許文献１】特開2006-33575公報
【発明の開示】
【発明が解決しようとする課題】
【０００４】
ところでかかる構成の表示デバイスにおいては、従来のｓＲＧＢ規格やＮＴＳＣ規格の色空間よりも広い領域色を再現可能なxvYCCと呼ばれる動画色空間規格に対応したものとなっているが、当該表示デバイスに供給される映像信号自体に広色域成分が存在しなければ、その映像信号に応じた表示映像についても従来のｓＲＧＢ規格やＮＴＳＣ規格の表示映像と何ら違いは見られない。
【０００５】
また、仮に、映像信号自体に広色域成分が存在していたとしても、従来のｓＲＧＢ規格やＮＴＳＣ規格の色域成分に比べて、xvYCC規格の広色域成分が含まれていることを視覚的にユーザへ提示することは行われておらず、ユーザにとっては映像信号に広色域成分が含まれているか否かを明確に認識することが出来ないという問題があった。
【０００６】
本発明は以上の点を考慮してなされたもので、広色域成分の有無やその割合を視覚的かつ解り易い状態でユーザに認識させ得る色域成分解析装置、色域成分解析方法及び色域成分解析プログラムを提案しようとするものである。
【課題を解決するための手段】
【０００７】
かかる課題を解決するため本発明においては、映像信号が持つ色成分をヒストグラム処理し、そのヒストグラム処理結果から所定規格の信号よりも広い広色域成分を算出し、映像信号に対する広色域成分の有無、又は映像信号に対する広色域成分の割合を示すユーザインタフェース画像を生成し出力することにより、所定規格の信号よりも広い広色域成分の有無、又はその割合をユーザに対して視覚的かつ直感的に認識させることができる。
【発明の効果】
【０００８】
本発明によれば、映像信号が持つ色成分をヒストグラム処理し、そのヒストグラム処理結果から所定規格の信号よりも広い広色域成分を算出し、映像信号に対する広色域成分の有無、又は映像信号に対する広色域成分の割合を示すユーザインタフェース画像を生成し出力することにより、所定規格の信号よりも広い広色域成分の有無、又はその割合をユーザに対して視覚的かつ直感的に認識させることができ、かくして広色域成分の有無やその割合を視覚的かつ解り易い状態でユーザに認識させ得る色域成分解析装置、色域成分解析方法及び色域成分解析プログラムを実現することができる。
【発明を実施するための最良の形態】
【０００９】
以下、図面について、本発明の一実施の形態を詳述する。
【００１０】
（１）信号規格ごとの色度分布
図１では、基準白色のＣＩＥ(Commission Internationale de I’Eclariage)表色系における色度分布、ＮＴＳＣ規格の色度分布、AdobeRGB(1988)規格の色度分布及びｓＲＧＢ規格の色度分布であり、映像信号の規格に応じた色域の差を示している。
【００１１】
従来のビデオ信号の主流となっているｓＲＧＢ規格はＣＲＴ(Cathode Ray Tube)の色域が考慮され、ＮＴＳＣ規格よりもかなり狭くなっている。近年では、広色域の物性を持ったＬＣＤ(Liquid Crystal Device)表示デバイスやプリンターが商品化されており、これに伴い新たな信号規格としてAdobeRGB(1988)や、xvYCC等が提案されている。
【００１２】
動画像における広色域色空間規格であるxvYCCは、現行の放送等で使われている色空間規格に対し「マンセル・カラー・カスケード」票で約１.８倍の人の目に極めて近い彩色が表現できる動画色空間の国際規格であり、ｓＲＧＢ規格の色度分布を超える部分として定義されている。
【００１３】
例えば、ＮＴＳＣ規格ではｓＲＧＢ規格に比べてその色域が一段と広い範囲にまで延び、広色域成分の拡がっていることが示されているものの、ｓＲＧＢ規格の色域内の映像信号をＮＴＳＣ規格に忠実に再現してもｓＲＧＢ規格の映像信号と、ＮＴＳＣ規格の映像信号とを区別することは難しい。
【００１４】
そこで本発明は、例えばxvYCC規格の映像信号のうち、ｓＲＧＢ規格の色域よりも広い広色域な信号成分（以下、これを広色域成分と呼ぶ）を算出し、表示画面上に広色域成分の有無又はその割合を表示することにより、ユーザに対して広色域成分の存在を容易に認識させるようになされている。
【００１５】
（２）色成分解析装置の構成
図２において、１は全体として本発明の中核をなす色成分解析装置を示し、xvYCC規格の映像信号を構成する輝度信号（Ｙ）をタイミング調整回路２へ送出する一方、色差信号（Ｃｂ、Ｃｒ）をグラフィック重畳回路３及びヒストグラム処理回路４へ送出する。
【００１６】
ヒストグラム処理回路４は、色差信号（Ｃｂ、Ｃｒ）に基づいてヒストグラム処理を行い、ｓＲＧＢ規格における色域成分量の総和ｓＲＧＢmaxを閾値レベルと設定し、この閾値レベルを超える広色域成分量ＷＣを、xvYCC規格における色域成分量の総和ＭＡＸを用いて表す場合、例えば次式、
【００１７】
ＷＣ（％）＝｛（ＭＡＸ−ｓＲＧＢmax）／ＭＡＸ｝×１００        ……（１）
【００１８】
に基づいて算出し、その算出結果をグラフィック処理回路５へ送出する。
【００１９】
グラフィック処理回路５は、ヒストグラム処理回路４から供給された算出結果に基づいて、ｓＲＧＢ規格における色域成分量の総和ｓＲＧＢmaxを超える広色域成分量ＷＣを視覚的に解り易く表示するためのグラフィック処理を行うことにより例えばグラフ化し、そのグラフィック処理画像をグラフィック重畳回路３へ送出する。
【００２０】
この場合、グラフィック処理回路５は、ｓＲＧＢ規格の色度分布を超える部分がＲ(Red)、Ｇ(Green)、Ｂ(Blue)のどれか一つでもあれば、その色（例えば緑）に関する広色域成分量ＷＣの算出結果を用いて、例えば図３（Ａ）、（Ｂ）又は（Ｃ）に示すようなグラフ化したグラフィック処理画像Ｇ１Ａ、Ｇ２Ａ又はＧ３Ａを生成する。
【００２１】
図３（Ａ）のグラフィック処理画像Ｇ１Ａでは、その映像信号における色度分布がｓＲＧＢ規格における色域成分量の総和ｓＲＧＢmaxで示される閾値レベルよりも大幅に低い、ｓＲＧＢ規格の薄い色（緑）の映像であることを示している。
【００２２】
また図３（Ｂ）のグラフィック処理画像Ｇ２Ａでは、その映像信号における色度分布がｓＲＧＢ規格における色域成分量の総和ｓＲＧＢmaxで示される閾値レベルよりも僅かに低い、ｓＲＧＢ規格の濃い色（緑）の映像であることを示している。
【００２３】
さらに図３（Ｃ）のグラフィック処理画像Ｇ３Ａでは、その映像信号における色度分布がｓＲＧＢ規格における色域成分量の総和ｓＲＧＢmaxで示される閾値レベルよりもその大部分が高い、例えばxvYCC規格の非常に深い色（緑）の映像であることを示している。
【００２４】
なおグラフィック処理画像Ｇ１Ａ〜Ｇ３Ａは、何れも１フレーム分の画像における全画素に対する色度を１０段階の輝度レベルに対応させて表したものである。
【００２５】
ところでタイミング調整回路２は、上述したヒストグラム処理回路４及びグラフィック処理回路５における処理時間分だけ輝度信号（Ｙ）を保持し、グラフィック処理回路５からグラフィック重畳回路３へグラフィック処理画像Ｇ１Ａ、Ｇ２Ａ又はＧ３Ａが供給されるのと同じタイミングで当該輝度信号（Ｙ）をグラフィック重畳回路３へ送出する。
【００２６】
グラフィック重畳回路３は、タイミング調整回路２から供給される輝度信号（Ｙ）と色差信号（Ｃｂ、Ｃｒ）とに基づいて再生映像を生成すると共に、グラフィック処理回路５から供給されるグラフィック処理画像Ｇ１Ａ、Ｇ２Ａ又はＧ３Ａを再生映像に重畳することによりグラフィック重畳映像信号ＰＧ１を生成し、これを後段のモニターからグラフィック重畳映像として出力するようになされている。
【００２７】
この場合、色成分解析装置１は、例えば図４に示すように、グラフィック重畳映像信号ＰＧ１に基づいて、再生映像中にグラフィック処理画像Ｇ３Ａが重畳されたグラフィック重畳映像画像ＦＧをモニターに表示することにより、当該グラフィック重畳映像画像ＦＧの再生映像を目視確認しているユーザに対して、グラフィック処理画像Ｇ３Ａを介して再生映像中の山や森等の緑色成分がxvYCC規格の非常に深い色（緑）によって表現されていることを認識させ得るようになされている。
【００２８】
（３）色成分解析装置による広色域成分表示処理手順
図５に示すように、色成分解析装置１は、色域成分解析プログラムに従いルーチンＲＴ１の開始ステップから入って次のステップＳＰ１へ移り、輝度信号（Ｙ）及び色差信号（Ｃｂ、Ｃｒ）からなる映像信号を入力し、次のステップＳＰ２へ移る。
【００２９】
ステップＳＰ２において色成分解析装置１は、その映像信号が輝度信号（Ｙ）であるか否かを判別し、輝度信号（Ｙ）については肯定結果を得て次のステップＳＰ３へ移る。
【００３０】
ステップＳＰ３において色成分解析装置１は、その輝度信号（Ｙ）をタイミング調整回路２へ送出し、ヒストグラム処理回路４及びグラフィック処理回路５に要する時間分だけ保持する信号遅延処理を行った後にグラフィック重畳回路３へ送出し、次のステップＳＰ６へ移る。
【００３１】
一方、ステップＳＰ２において色成分解析装置１は、その映像信号が輝度信号（Ｙ）ではなく色差信号（Ｃｂ、Ｃｒ）である場合、否定結果を得て、色差信号（Ｃｂ、Ｃｒ）をグラフィック重畳回路３へ送出すると共にヒストグラム処理回路４へ送出し、次のステップＳＰ４へ移る。
【００３２】
ステップＳＰ４において色成分解析装置１は、ヒストグラム処理回路４を介して色差信号（Ｃｂ、Ｃｒ）に基づくヒストグラム処理を行わせ、ｓＲＧＢ規格における色域成分量の総和ｓＲＧＢmaxを超える広色域成分量ＷＣを上述した（１）式により算出し、その算出結果をグラフィック処理回路５へ送出し、次のステップＳＰ５へ移る。
【００３３】
ステップＳＰ５において色成分解析装置１は、グラフィック処理回路５を介してヒストグラム処理回路４から供給された算出結果に基づき、ｓＲＧＢ規格における色域成分量の総和ｓＲＧＢmaxを超える広色域成分量ＷＣを視覚的に解り易く表示するためのグラフィック処理を行うことによりグラフィック処理画像Ｇ１Ａ、Ｇ２Ａ又はＧ３Ａを生成し、それらをグラフィック重畳回路３へ送出し、次のステップＳＰ６へ移る。
【００３４】
ステップＳＰ６において色成分解析装置１は、グラフィック重畳回路３を介して、タイミング調整回路２から供給される輝度信号（Ｙ）と色差信号（Ｃｂ、Ｃｒ）とに基づいて再生映像を生成すると共に、グラフィック処理回路５から供給されるグラフィック処理画像Ｇ１Ａ、Ｇ２Ａ又はＧ３Ａをその再生映像に重畳することによりグラフィック重畳映像信号ＰＧ１を生成し、次のステップＳＰ７へ移る。
【００３５】
ステップＳＰ７において色成分解析装置１は、グラフィック重畳回路３によって生成したグラフィック重畳映像信号ＰＧ１をモニターへ出力することによりグラフィック重畳映像を表示し、次のステップＳＰ８へ移って処理を終了する。
【００３６】
（４）色成分解析装置の実装例
このような色成分解析装置１に相当するグラフィック生成回路を実装した液晶テレビジョン及びハンディ型ビデオカメラの具体的な構成を次に説明する。
【００３７】
（４−１）液晶テレビジョンの構成
図６において、１０は全体として色成分解析装置１に相当するグラフィック生成回路を実装した液晶テレビジョンを示し、ＣＰＵ(Central Processing Unit)２８が全体を統括制御し、内部バス３１を介して接続されたフラッシュＲＯＭ２９に格納されている基本プログラム及び各種アプリケーションプログラム（色域成分解析プログラムを含む）をＳＤＲＡＭ(Synchronous Dynamic Random Access Memory)３０に起動することにより所定の処理を実行するようになされている。
【００３８】
実際上、液晶テレビジョン１０は、リモートコントローラ（以下、これをリモコンと呼ぶ）２６から受光したユーザからの命令をリモコン受光部２７で受け取り、それをＣＰＵ２８へ送出する。
【００３９】
液晶テレビジョン１０のＣＰＵ２８は、その命令に従って地上アナログ放送受信用のアンテナ入力端子１１から入力された放送波信号を地上波チューナ１２に入力し、当該地上波チューナ１２によりベースバンドの映像信号及び音声信号に復調し、音声信号を音声アナログディジタル変換回路１４へ送出すると共に映像信号をビデオデコーダ１３へ送出する。
【００４０】
音声アナログディジタル変換回路１４は、音声信号をアナログディジタル変換することによりディジタル音声データを生成し、これを音声信号処理回路１５へ送出する。音声信号処理回路１５は、ディジタル音声データに対して所定の信号処理を施した後、その音声データを音声増幅回路１７へ送出する。音声増幅回路１７は、ディジタル音声データをディジタルアナログ変換した後、所定レベルに増幅し、その結果得られる音声信号をスピーカ１８からテレビ音声として出力する。
【００４１】
一方、ビデオデコーダ１３は、ベースバンドの映像信号を輝度信号（Ｙ）及び色差信号（Ｃｂ、Ｃｒ）からなるディジタルコンポーネント信号に変換し、そのディジタルコンポーネント信号を映像信号処理回路１６へ送出する。映像信号処理回路１６は、ディジタルコンポーネント信号に対して所定の信号処理を施した後、そのディジタルコンポーネント信号をグラフィック生成回路１９へ送出する。
【００４２】
グラフィック生成回路１９は、上述した色成分解析装置１（図２）に相当するものであって、グラフィック処理画像Ｇ１Ａ、Ｇ２Ａ又はＧ３Ａと再生映像とを重畳することにより得られたグラフィック重畳映像信号ＰＧ１をパネル駆動回路２０へ送出する。
【００４３】
パネル駆動回路２０は、グラフィック生成回路１９から供給されるグラフィック重畳映像信号ＰＧ１に従って液晶表示パネル２１を駆動することにより、当該液晶表示パネル２１に対してグラフィック重畳映像信号ＰＧ１に応じたグラフィック重畳映像を表示するようになされている。
【００４４】
また液晶テレビジョン１０のＣＰＵ２８は、リモコン２６からリモコン受光部２７を介して受け取ったユーザからの命令に従って、ディジタル放送受信用のアンテナ入力端子３４から入力された放送波信号をディジタル復調用チューナ２２に入力し、当該ディジタル復調用チューナ２２によりＭＰＥＧ−ＴＳ(Moving Picture Experts Group-Transport Stream)ストリームに変換し、それをＭＰＥＧデコーダ２３へ送出する。
【００４５】
ＭＰＥＧデコーダ２３は、ＭＰＥＧ−ＴＳストリームをデコードすることによりディジタルコンポーネント信号及びディジタル音声データに変換し、ディジタル音声データを音声信号処理回路１５へ送出すると共にディジタルコンポーネント信号を映像信号処理回路１６へ送出する。
【００４６】
映像信号処理回路１６は、ディジタルコンポーネント信号に対して所定の信号処理を施した後、そのディジタルコンポーネント信号をグラフィック生成回路１９へ送出する。グラフィック生成回路１９は、グラフィック処理画像Ｇ１Ａ、Ｇ２Ａ又はＧ３Ａと再生映像とを重畳することにより得られたグラフィック重畳映像信号ＰＧ１をパネル駆動回路２０へ送出する。
【００４７】
パネル駆動回路２０は、グラフィック生成回路１９から供給されるグラフィック重畳映像信号ＰＧ１に従って液晶表示パネル２１を駆動することにより、当該液晶表示パネル２１に対してグラフィック重畳映像信号ＰＧ１に応じたグラフィック重畳映像を表示するようになされている。
【００４８】
なお液晶テレビジョン装置１０のＣＰＵ２８は、ＨＤＭＩ(High-Definition Multimedia Interface)端子２５を有しており、当該ＨＤＭＩ端子２５を介して外部から供給されたディジタルコンポーネント信号をＨＤＭＩレシーバー２４を受け取り、それを映像信号処理回路１６へ取り込むことが出来るようになされている。
【００４９】
従って液晶テレビジョン装置１０では、ＨＤＭＩ端子２５を介して外部から取り込んだディジタルコンポーネント信号に対しても所定の信号処理を施し、グラフィック生成回路１９を介してグラフィック処理画像Ｇ１Ａ、Ｇ２Ａ又はＧ３Ａを生成し、それと再生映像とを重畳することによりグラフィック重畳映像信号ＰＧ１を生成し、これをパネル駆動回路２０を介して液晶表示パネル２１にグラフィック重畳映像を表示し得るようになされている。
【００５０】
因みに液晶テレビジョン装置１０は、ネットワーク端子３２及びイーサネット（登録商標）インタフェース３３を介してインターネット等と外部接続することが可能であり、外部からインターネット経由で取り込んだディジタルコンポーネント信号に対しても所定の信号処理を施し、グラフィック生成回路１９を介してグラフィック処理画像Ｇ１Ａ、Ｇ２Ａ又はＧ３Ａを生成し、それと再生映像とを重畳することによりグラフィック重畳映像信号ＰＧ１を生成し、これをパネル駆動回路２０を介して液晶表示パネル２１にグラフィック重畳映像を表示し得るようになされている。
【００５１】
（４−２）ビデオカメラの構成
一方、図６との対応部分に同一符号を付した図７において、５０は全体として色成分解析装置１に相当するグラフィック生成回路を実装したハンディ型ビデオカメラを示し、ＣＰＵ２８が全体を統括制御し、内部バス３１を介して接続されたフラッシュＲＯＭ２９に格納されている基本プログラム及び各種アプリケーションプログラム（色域成分解析プログラムを含む）をＳＤＲＡＭ３０に起動することにより所定の処理を実行するようになされている。
【００５２】
実際上、ハンディ型ビデオカメラ５０は、入力端子５１を介して供給されたビデオ信号をビデオデコーダ１３へ送出する。ビデオデコーダ１３は、ビデオ信号を輝度信号（Ｙ）及び色差信号（Ｃｂ、Ｃｒ）からなるディジタルコンポーネント信号に変換し、そのディジタルコンポーネント信号を映像信号処理回路１６へ送出する。
【００５３】
映像信号処理回路１６は、ディジタルコンポーネント信号に対して所定の信号処理を施した後、そのディジタルコンポーネント信号をグラフィック生成回路１９へ送出する。
【００５４】
グラフィック生成回路１９は、上述した色成分解析装置１（図２）に相当するものであって、制御キー５４に対するユーザの操作に応じて選択した色のグラフィック処理画像Ｇ１Ａ、Ｇ２Ａ又はＧ３Ａと再生映像とを重畳することにより得られたグラフィック重畳映像信号ＰＧ１をパネル駆動回路２０へ送出する。
【００５５】
パネル駆動回路２０は、グラフィック生成回路１９から供給されるグラフィック重畳映像信号ＰＧ１に従って液晶表示パネル２１を駆動することにより、当該液晶表示パネル２１に対してグラフィック重畳映像信号ＰＧ１に応じたグラフィック重畳映像を表示するようになされている。
【００５６】
またハンディ型ビデオカメラ５０のＣＰＵ２８は、入力端子５２を介して供給されたＭＰＥＧ−ＴＳストリームをＭＰＥＧデコーダ２３へ送出する。ＭＰＥＧデコーダ２３は、ＭＰＥＧ−ＴＳストリームをデコードすることによりディジタルコンポーネント信号に変換し、そのディジタルコンポーネント信号を映像信号処理回路１６へ送出する。
【００５７】
映像信号処理回路１６は、ディジタルコンポーネント信号に対して所定の信号処理を施した後、そのディジタルコンポーネント信号をグラフィック生成回路１９へ送出する。グラフィック生成回路１９は、制御キー５４に対するユーザの操作に応じて選択した色のグラフィック処理画像Ｇ１Ａ、Ｇ２Ａ又はＧ３Ａと再生映像とを重畳することにより得られたグラフィック重畳映像信号ＰＧ１をパネル駆動回路２０へ送出する。
【００５８】
また映像信号処理回路１６は、入力端子５３を介して供給されたディジタルコンポーネント信号に対しても所定の信号処理を施した後、そのディジタルコンポーネント信号をグラフィック生成回路１９へ送出する。グラフィック生成回路１９は、制御キー５４に対するユーザの操作に応じて選択した色のグラフィック処理画像Ｇ１Ａ、Ｇ２Ａ又はＧ３Ａと再生映像とを重畳することにより得られたグラフィック重畳映像信号ＰＧ１をパネル駆動回路２０へ送出する。
【００５９】
パネル駆動回路２０は、グラフィック生成回路１９から供給されるグラフィック重畳映像信号ＰＧ１に従って液晶表示パネル２１を駆動することにより、当該液晶表示パネル２１に対してグラフィック重畳映像信号ＰＧ１に応じたグラフィック重畳映像を表示するようになされている。
【００６０】
なおハンディ型ビデオカメラ５０のＣＰＵ２８は、ＨＤＭＩ端子２５を有しており、当該ＨＤＭＩ端子２５を介して外部から供給されたディジタルコンポーネント信号をＨＤＭＩレシーバー２４を受け取り、それを映像信号処理回路１６へ取り込むことが出来るようになされている。
【００６１】
従ってハンディ型ビデオカメラ５０では、ＨＤＭＩ端子２５を介して外部から取り込んだディジタルコンポーネント信号に対しても所定の信号処理を施し、グラフィック生成回路１９を介してグラフィック処理画像Ｇ１Ａ、Ｇ２Ａ又はＧ３Ａを生成し、それと再生映像とを重畳することによりグラフィック重畳映像信号ＰＧ１を生成し、これをパネル駆動回路２０を介して液晶表示パネル２１にグラフィック重畳映像を表示し得るようになされている。
【００６２】
因みにハンディ型ビデオカメラ５０は、ネットワーク端子３２及びイーサネット（登録商標）インタフェース３３を介してインターネット等と外部接続することが可能であり、外部からインターネット経由で取り込んだディジタルコンポーネント信号に対しても所定の信号処理を施し、グラフィック生成回路１９を介してグラフィック処理画像Ｇ１Ａ、Ｇ２Ａ又はＧ３Ａを生成し、それと再生映像とを重畳することによりグラフィック重畳映像信号ＰＧ１を生成し、これをパネル駆動回路２０を介して液晶表示パネル２１にグラフィック重畳映像を表示し得るようになされている。
【００６３】
（５）動作及び効果
以上の構成において、色成分解析装置１のヒストグラム処理回路４は、色差信号（Ｃｂ、Ｃｒ）に基づいてヒストグラム処理を行い、ｓＲＧＢ規格における色域成分量の総和ｓＲＧＢmaxを閾値レベルと設定し、この閾値レベルを超える広色域成分量ＷＣを、（１）式に従って算出し、その算出結果をグラフィック処理回路５へ送出する。
【００６４】
グラフィック処理回路５は、ヒストグラム処理回路４から供給された算出結果に基づいて、ｓＲＧＢ規格における色域成分量の総和ｓＲＧＢmaxを超える広色域成分量ＷＣを視覚的に解り易く表示するためのグラフィック処理を行うことによりグラフ化したグラフィック処理画像Ｇ１Ａ、Ｇ１Ｂ又はＧ１Ｃを生成し、グラフィック重畳回路３へ送出する。
【００６５】
グラフィック重畳回路３は、タイミング調整回路２から供給される輝度信号（Ｙ）と色差信号（Ｃｂ、Ｃｒ）とに基づいて再生映像を生成すると共に、グラフィック処理回路５から供給されるグラフィック処理画像Ｇ１Ａ、Ｇ２Ａ又はＧ３Ａを再生映像に重畳することによりグラフィック重畳映像信号ＰＧ１を生成し、これを後段のモニターからグラフィック重畳映像として出力する。
【００６６】
これにより色成分解析装置１は、図４に示したように、再生映像中にグラフィック処理画像Ｇ３Ａが重畳されたグラフィック重畳映像画像ＦＧをモニターに表示することが出来るので、当該グラフィック重畳映像画像ＦＧの再生映像を目視確認しているユーザに対して、グラフィック処理画像Ｇ３Ａを介して再生映像中の山や森等の緑色成分がxvYCC規格の非常に深い色（緑）によって表現されていることを定量的かつ直感的に認識させることができる。
【００６７】
すなわち色成分解析装置１は、グラフィック重畳映像画像ＦＧのグラフィック処理画像Ｇ３Ａが存在しない場合、グラフィック重畳映像画像ＦＧの再生映像を目視確認しているユーザに対して、再生映像中の山や森等の緑色成分がxvYCC規格の非常に深い色（緑）によって表現されているのか否かを認識させることが出来ず、不安感を覚えさせることがあったが、グラフィック重畳映像画像ＦＧをモニターに表示することにより、このような点を解消し、xvYCC規格の色成分が存在することを通知し得、安心感を与えることができる。
【００６８】
以上の構成によれば、色成分解析装置１は、再生映像中にグラフィック処理画像Ｇ３Ａが重畳されたグラフィック重畳映像画像ＦＧをモニターに表示することにより、当該グラフィック重畳映像画像ＦＧの再生映像を目視確認しているユーザに対して、グラフィック処理画像Ｇ３Ａを介して再生映像中に存在するxvYCC規格の広色域成分量の存在及びその割合を定量的かつ直感的に認識させることができる。
【００６９】
（６）他の実施の形態
なお上述の実施の形態においては、グラフィック処理回路５により図３に示したようなグラフィック処理画像Ｇ１Ａ、Ｇ２Ａ又はＧ３Ａを生成し、それを再生映像に重畳した結果得られるグラフィック重畳映像を表示することにより、ｓＲＧＢ規格における色域成分量の総和ｓＲＧＢmaxを超える広色域成分量ＷＣの有無又はその割合をユーザに通知するようにした場合について述べたが、本発明はこれに限らず、例えば図８に示すように、ＬＥＤ(Light Emitting Diode)が複数個並べられたグラフィック処理画像６０を設け、ｓＲＧＢ規格の映像信号における色度の最大値ｓＲＧＢmaxを超えるxvYCC規格の広色域成分が存在しなければ左側から中央までのＬＥＤ６１〜６３までを点灯させ、ｓＲＧＢ規格における色域成分量の総和ｓＲＧＢmaxを超える広色域成分量ＷＣが存在している場合、その量に合わせて中央よりも右側のＬＥＤ６４及び６５を点灯させることにより、ｓＲＧＢ規格における色域成分量の総和ｓＲＧＢmaxを超えるxvYCC規格の広色域成分量ＷＣの有無又はその割合をユーザに通知するようにしても良い。
【００７０】
また上述の実施の形態においては、グラフィック処理回路５により図３（Ａ）〜（Ｃ）に示したようなｓＲＧＢ規格における色域成分量の総和ｓＲＧＢmaxに対応した閾値レベルを表したグラフィック処理画像Ｇ１Ａ、Ｇ２Ａ又はＧ３Ａを生成するようにした場合について述べたが、本発明はこれに限らず、図９（Ａ）〜（Ｃ）に示すように、ｓＲＧＢ規格における色域成分量の総和ｓＲＧＢmaxに対応した閾値レベルの存在しないグラフィック処理画像Ｇ１Ｂ、Ｇ２Ｂ又はＧ３Ｂを生成するようにしても良い。
【００７１】
この場合、グラフィック処理画像Ｇ１Ｂ、Ｇ２Ｂ又はＧ３ＢにｓＲＧＢ規格における色域成分量の総和ｓＲＧＢmaxに対応した閾値レベルが存在しないとしても、輝度レベルが「７」以上の画素が存在する場合に、ｓＲＧＢ規格における色域成分量の総和ｓＲＧＢmaxを超えるxvYCC規格の広色域成分が存在しているとユーザに認識させるようにすればよい。
【００７２】
また上述の実施の形態においては、グラフィック処理回路５により図３に示したようなグラフィック処理画像Ｇ１Ａ、Ｇ２Ａ又はＧ３Ａを生成するようにした場合について述べたが、本発明はこれに限らず、図１０に示すように円グラフ画像Ｇ４によりxvYCC規格の広色域成分量ＷＣの有無や、その割合を示すようにしても良い。
【００７３】
さらに上述の実施の形態においては、グラフィック処理回路５により図３に示したようなグラフィック処理画像Ｇ１Ａ、Ｇ２Ａ又はＧ３Ａを生成するようにした場合について述べたが、本発明はこれに限らず、図１１に示すように棒グラフ画像Ｇ５によりxvYCC規格の広色域成分量ＷＣの有無や、その割合を示すようにしても良い。
【００７４】
さらに上述の実施の形態においては、グラフィック生成回路１９（色成分解析装置１）がフラッシュＲＯＭ２９に予め格納されている色域成分解析プログラムに従い、上述したルーチンＲＴ１の色成分表示処理手順を実行するようにした場合について述べたが、本発明はこれに限らず、記録媒体からインストールした色域成分解析プログラムや、インターネットからダウンロードした色域成分解析プログラム、その他種々のルートによってインストールした色域成分解析プログラムに従って上述した色成分表示処理手順を実行するようにしても良い。
【００７５】
さらに上述の実施の形態においては、色成分解析装置としての色成分解析装置１、グラフィック生成回路１９を、ヒストグラム処理手段及び色域成分算出手段としてのヒストグラム処理回路４、グラフィック処理手段としてのグラフィック処理回路によって構成するようにした場合について述べたが、本発明はこれに限らず、その他種々の回路構成でなるヒストグラム処理手段、色域成分算出手段、グラフィック処理手段によって色成分解析装置を構成するようにしても良い。
【産業上の利用可能性】
【００７６】
本発明の色域成分解析装置、色域成分解析方法及び色域成分解析プログラムは、例えば動画像録画可能な携帯電話機や、テレビ放送受信可能な携帯電話機等に適用することができる。
【図面の簡単な説明】
【００７７】
【図１】色度分布を示す略線図である。
【図２】色成分解析装置の構成を示す略線的ブロック図である。
【図３】色成分を表すグラフィック処理画像を示す略線図である。
【図４】グラフィック重畳映像の一例を示す略線図である。
【図５】広色域成分表示処理手順を示すフローチャートである。
【図６】液晶テレビジョンの回路構成を示す略線的ブロック図である。
【図７】ハンディ型ビデオカメラの回路構成を示す略線的ブロック図である。
【図８】他の実施の形態における色成分を表すグラフィック処理画像（１）を示す略線図である。
【図９】他の実施の形態における色成分を表すグラフィック処理画像（２）を示す略線図である。
【図１０】他の実施の形態における色成分を表すグラフィック処理画像（３）を示す略線図である。
【図１１】他の実施の形態における色成分を表すグラフィック処理画像（４）を示す略線図である。
【符号の説明】
【００７８】
１……色成分解析装置、２……タイミング調整回路、３……グラフィック重畳回路、４……ヒストグラム処理回路、５……グラフィック処理回路、１０……液晶テレビジョン、１１、３４……アンテナ入力端子、１２……地上波チューナ、１３……ビデオデコーダ、１４……音声アナログディジタル変換回路、１５……音声信号処理回路、１６……映像信号処理回路、１７……音声増幅回路、１８……スピーカ、１９……グラフィック生成回路、２０……パネル駆動回路、２１……液晶表示パネル、２２……ディジタルチューナ、２３……ＭＰＥＧデコーダ、２４……ＨＤＭＩレシーバー、２５……ＨＤＭＩ端子、２６……リモコン、２７……リモコン受光部、２８……ＣＰＵ、２９……フラッシュＲＯＭ、３０……ＳＤＲＡＭ、３１……内部バス、３２……ネットワーク端子、３３……イーサネット（登録商標）インタフェース。
【図１】
2008301415.tif 000003
【図２】
2008301415.tif 000004
【図３】
2008301415.tif 000005
【図４】
2008301415.tif 000006
【図５】
2008301415.tif 000007
【図６】
2008301415.tif 000008
【図７】
2008301415.tif 000009
【図８】
2008301415.tif 000010
【図９】
2008301415.tif 000011
【図１０】
2008301415.tif 000012
【図１１】
2008301415.tif 000013